(57)【要約】      （修正有）【課題】押圧板と駆動レバーが電気コネクタの同じ側に取り付けられる小型のランドグリッドアレイ電気コネクタを提供すること。【解決手段】電気コネクタ取付時、導電端子２が挿入される絶縁本体１は、框体３の収納槽３３に収納される。框体３は、絶縁本体１の底部に位置し、かつ絶縁本体１を保護する。駆動レバー５は、押圧板４の第２端部３２に組み合わされ、突出部５００は、鉤部４００に係合され、又、接触部４０１に接触することによって、駆動レバー５は、押圧板４から外れることを防止できる。次に、駆動レバー５が取り付けられる框体４は、絶縁本体１に組み合わされる。框体４は、連接辺４０が框体３の第１端部３１に位置し、駆動レバー５の固持部５０が框体３の係合鉤３１０に係合することによって、框体３に固着される。【選択図】図１
0003120137.tif 000002
【実用新案登録請求の範囲】
【請求項１】
ＣＰＵを保持して回路基板に電気接続する電気コネクタにおいて、
該電気コネクタは、
絶縁本体と、
絶縁本体に収納される複数の導電端子と、
絶縁本体に取り付けられる框体と、
框体に取り付けられる押圧板と、
框体に取り付けられる駆動部材と、を備え、
前記押圧板と前記駆動部材は框体の同じ側に取り付けられ、
前記押圧板は、前記駆動部材が開いた位置から閉じた位置まで回転することに伴って自由端が移動して框体に係合することを特徴とする電気コネクタ。
【請求項２】
前記框体は、対向する第１端部と第２端部を含み、
絶縁本体は前記第１端部と前記第２端部の間に位置し、
前記駆動部材は、前記框体の第１端部に取り付けられ、
前記押圧板は、前記駆動部材に可動に固着されることを特徴とする、請求項１に記載の電気コネクタ。
【請求項３】
前記駆動部材は、駆動レバーであり、
中間に凸状の突出部が設けられる固持部と、
該固持部の一端から直角に折れ曲がった駆動部と、
を有することを特徴とする、請求項２に記載の電気コネクタ。
【請求項４】
前記押圧板は、
自由端に設けられる第２側辺と、
前記第２側辺に対向し、前記駆動レバーの固持部に可動に連接される連接辺と、
を有することを特徴とする、請求項３に記載の電気コネクタ。
【請求項５】
前記押圧板の第２側辺には舌部が設けられ、
前記框体の第２端部には、舌部と係合する係合槽が形成されることを特徴とする、請求項４に記載の電気コネクタ。
【請求項６】
前記押圧板には、前記駆動レバーの突出部と接触する一対の鉤部と接触部を有することを特徴とする、請求項４に記載の電気コネクタ。
【請求項７】
前記押圧板は、前記框体の一側を転換軸として転換した後、前向きに移動することを特徴とする、請求項１、請求項５及び請求項６のいずれか１項に記載の電気コネクタ。
【請求項８】
前記框体は、対向する第１端部と第２端部を含み、
前記絶縁本体は第１端部と第２端部の間に位置し、
前記駆動部材と前記押圧板は、前記框体の第１端部に取り付けられることを特徴とする、請求項１に記載の電気コネクタ。
【考案の詳細な説明】
【技術分野】
【０００１】
本考案は電気コネクタに関し、ＣＰＵを電気接続し、押圧板と駆動レバーを含むランドグリッドアレイ電気コネクタに関する。
【背景技術】
【０００２】
ＣＰＵを回路基板に電気接続する一種のランドグリッドアレイ電気コネクタは、絶縁本体と、互いに対向する第１端部と第２端部を含む框体と、該框体の第１端部に取り付けられる転換板と、該框体の第２端部に取り付けられ、駆動部と突出部を含むレバーと、を備える。押圧板は、框体の第２端部に対応する側辺に、係合部が設けられる。押圧板とレバーが開いた状態になる時、ＣＰＵを絶縁本体に取り付く。押圧板とレバーが閉じた状態になる時、押圧板の係合部は、レバーの突出部の内側に挿入される。次に、駆動部が下向きに回転し、突出部は、駆動部に伴って下向きに回転し、押圧板の係合部を下向きに押圧して係合する。（例えば、特許文献１参照）。
【特許文献１】特願２００４−９５６９３号公報
【０００３】
ところで、該電気コネクタの第１端部と第２端部には、それぞれ、押圧板とレバーを実装するために広いスペースが必要であるため、小型の電気コネクタは得られない。
【０００４】
従って、本考案は前記の欠点を克服するために一種の新たな電気コネクタを構成する。
【考案の開示】
【考案が解決しようとする課題】
【０００５】
本考案の目的は、こうした従来の問題点を解決した電気コネクタを提供することである。すなわち、従来の技術とは異なり、押圧板と駆動レバーが電気コネクタの同じ側に取り付けられる小型のランドグリッドアレイ電気コネクタが得られるようにすることである。
【課題を解決するための手段】
【０００６】
本考案はＣＰＵを保持して回路基板に電気接続する電気コネクタに関し、該電気コネクタは、絶縁本体と、絶縁本体に収納される複数の導電端子と、絶縁本体に取り付けられる框体と、框体に取り付けられる押圧板と、駆動部材と、を備える。前記押圧板と前記駆動部材は前記框体の同じ側に取り付けられる。前記押圧板は、前記駆動部材が開いた位置から閉じた位置まで回転することに伴って、自由端が移動して框体に係合する。
【考案の効果】
【０００７】
従来の技術に比べると、本考案は以下の長所がある。本考案の電気コネクタは、押圧板と駆動レバーは、框体の同じ側に取り付けられる。框体の他の側には、駆動レバーを実装する必要がないため、広いスペースが必要ない。これにより、小型の電気コネクタが得られる。
【考案を実施するための最良の形態】
【０００８】
図１に示すように、ランドグリッドアレイ電気コネクタ１は、ＣＰＵ６を、検出板のような回路基板（図示せず）に電気接続する。該電気コネクタ１は、絶縁本体１と、絶縁本体１に挿入される複数の導電端子２と、絶縁本体が装入される框体３と、框体３に組み合わせる押圧板４と、駆動レバー５と、を備える。実質的に矩形の絶縁本体には、ＣＰＵ６を収納する収納スペース（図示せず）が画成される。
【０００９】
金属材料から製成される実質的に矩形の框体３は、第１端部３１と、第１端部３１と対向する第２端部３２と、第１端部３１と第２端部３２の間に形成される矩形の収納槽３３と、を有する。第１端部３１には、内向きに折れ曲がる一対の係合鉤３１０が設けられる。第２端部３２には、上向きに延在し、かつ係合槽３２２を形成する係合部３２０が設置される。収納槽３３の両側には一対のスロット３４が形成される。
【００１０】
可動な押圧板４は、対向する一対の第１側辺４１と、絶縁本体３の第２端部３２に対応する第２側辺４２と、第１端部３１対応する連接辺４０と、を具備する。押圧板４には、側辺４１、４２と連接辺４０から包囲される開口４３が形成される。各第１側辺４１には側壁４１１が設けられる。第２側辺４２には外向きに突出する舌部４２０が設けられる。連接辺４０には、下向きに延在して後向きに突出し、かつ互いに所定の距離で隔てられる一対の鉤部４００と、該対の鉤部４００の間に設けられる接触部４０１と、が備えられる。
【００１１】
駆動レバー５は、金属レバーから形成される。該駆動レバー５は、固持部５０と、該固持部５０の一端から直角に折れ曲がった駆動部５１と、駆動部５１の自由端から折れ曲がった折曲部５２と、を有する。固持部５０の中間には、凸状の突出部５００が設けられる。折曲部５２は、駆動部５１と平行に延在する。
【００１２】
図１及び図２に示すように、該電気コネクタ取付時、先ず、導電端子２が挿入される絶縁本体１は、框体３の収納槽３３に収納される。框体３は、絶縁本体１の底部に位置し、かつ絶縁本体１を保護する。駆動レバー５は、押圧板４の第２端部３２に組み合わされ、突出部５００は鉤部４００に係合され、又、接触部４０１に接触する。突出部５００の上表面と下表面がそれぞれ鉤部４００と接触部４０１に接触することによって、駆動レバー５は押圧板４から外れることを防止できる。次に、駆動レバー５が取り付けられる框体４は、絶縁本体１に組み合わされる。框体４は、連接辺４０が框体３の第１端部３１に位置し、駆動レバー５の固持部５０が框体３の係合鉤３１０に係合することによって、框体３に固着される。
【００１３】
図２及び図３に示すように、押圧板４が開いた状態になる時、押圧板４と駆動レバー５の駆動部５１は、框体３に対して直角に位置する。ＣＰＵ６を、絶縁本体１に装入する。
【００１４】
開いた押圧板４は、固持部５０を転換軸として下向きに転換し、第１側辺４１が、ＣＰＵ６の上表面を接触し、第２側辺４２は框体３の第２端部３２に近付く。押圧板４の一対の側壁４１１は、框体３の一対のスロット３４に嵌め込まれる。
【００１５】
図６及び図７に示すように、開いた駆動レバー５の駆動部５１は、固持部５０を転換軸として前向き且つ下向きに転換する。駆動レバー５の固持部５０は、駆動部５１が転換することに伴って、前向きに移動する。これにより、駆動レバー５に固着される押圧板４は前向きに移動し、舌部４２０が框体３の係合槽３２２に挿入される。所定の位置まで転換した駆動部５１は、凸状部片３２１に係合される。これにより、押圧板４と駆動レバー５は、それぞれ、係合槽３２２と凸状部片３２１によって、框体３に固着され、閉じた状態になる。これにより、ＣＰＵ６は、周囲が押圧板４によって固着され、中央が押圧板４の開口４３から突出する。
【００１６】
他の実施例では、押圧板４は、駆動レバー５に取り付けられずに、框体３に組み合わせてもよい。
【００１７】
本考案の多数の特徴及び長所など、その構造及び機能を前述の記載により共に説明してきた。また、前記の記載や、本考案に基づきなし得る細部の修正或は変更など、いずれも本考案の請求範囲に属するものである。
【産業上の利用可能性】
【００１８】
本考案は電気コネクタに関し、特に、押圧板と駆動レバーが電気コネクタの同じ側に取り付けられる小型のランドグリッドアレイ電気コネクタに関する。
【図面の簡単な説明】
【００１９】
【図１】本考案の電気コネクタの分解斜視図及びＣＰＵの斜視図である。
【図２】本考案の開けた状態になる電気コネクタの押圧板と駆動レバーの組合せ視図である。
【図３】本考案の開けた状態になる電気コネクタの押圧板と駆動レバーの他の組合せ視図である。
【図４】本考案の電気コネクタの押圧板と駆動レバーが、それぞれ閉じている状態と開いた状態の組合せ視図である。
【図５】本考案の電気コネクタの押圧板と駆動レバーが、それぞれ閉じている状態と開いた状態の斜視図である。
【図６】本考案の閉じた状態の電気コネクタの組合せ視図である。
【図７】本考案の閉じた状態の電気コネクタの斜視図である。
【符号の説明】
【００２０】
１  絶縁本体
２  導電端子
３  框体
４  押圧板
５  駆動レバー
６  ＣＰＵ
３１  第１端部
３２  第２端部
３３  収納槽
３４  スロット
４０  連接辺
４１  第１側辺
４２  第２側辺
４３  開口
５０  固持部
５１  駆動部
５２  折り曲げ部
３１０  係合鉤
３２０  係合部
３２１  凸状部片
３２２  係合槽
４００  鉤部
４０１  接触部
４１１  側壁
４２０  舌部
５００  突出部
【図１】
0003120137.tif 000003
【図２】
0003120137.tif 000004
【図３】
0003120137.tif 000005
【図４】
0003120137.tif 000006
【図５】
0003120137.tif 000007
【図６】
0003120137.tif 000008
【図７】
0003120137.tif 000009